(57)【要約】【課題】弾性シート間に物品を緩衝包装するための簡便な構成であって操作の容易な緩衝包装装置が要望されている。【解決手段】この発明は、電子機器のような、比較的重量があり衝撃をきらう物品に適した緩衝包装装置であって、支持面部の収容開口に張り渡した弾性シートに物品を載置し、押さえ面部を折り返した状態でこの押さえ面部の押さえ開口に張り渡した弾性シートによって前記物品を押さえ、さらにこの押え面部に連なる脚面部を反対側に折り返して、両弾性シート間に物品を保持して前記脚部によって前記物品を、宙吊り、すなわち吊り上げ状態に保持するようにした緩衝包装装置である。【選択図】図５
2011093552.tif 000002
【特許請求の範囲】
【請求項１】
物品の収容開口を有する支持面部と、この支持面部の対向辺に連設され、それぞれ対向辺を介して前記支持面部の物品側に折り返すことができ、その状態で前記支持面部の収容開口と対面する押さえ開口を外側縁に設けた押さえ面部と、この押さえ面部を折り返した状態で前記対向辺とは別の対向辺を介して前記支持面部とは反対面側に折り返して脚部を形成することができる脚面部と、を有する板材からなる本体と、前記支持面部の収容開口および前記押さえ面部の押さえ開口に張り渡した弾性シートと、を有してなり、前記収容開口の弾性シートに載置した物品を前記押さえ面部と脚面部とを折り返すことによって前記押さえ開口の弾性シートによって押さえて両弾性シート間に物品を保持するとともに前記脚部によって前記物品を吊り上げ状態に保持するようにしたことを特徴とする緩衝包装装置。
【請求項２】
前記弾性シートは、全面一体であることを特徴とする請求項１記載の緩衝包装装置。
【請求項３】
前記弾性シートは、前記本体に重合して接合されることを特徴とする請求項１または２記載の緩衝包装装置。
【請求項４】
前記緩衝包装装置を収容する外枠をさらに有することを特徴とする前記請求項１−３のいずれか１項記載の緩衝包装装置。
【請求項５】
前記脚面部を折り返して形成した脚部は、その起立状態を維持する自己保持部を有することを特徴とする前記請求項１−４のいずれか１項記載の緩衝包装装置。
【請求項６】
前記請求項１記載の緩衝包装装置をその脚面部を介して複数個積層して外枠内に収容したことを特徴とする緩衝包装装置。
【請求項７】
前記押さえ面にはその端部に係合開口を設けるとともに前記脚部の下端には積層時に前記係合開口と係合する係合突起を設けたことを特徴とする前記請求項６記載の緩衝包装装置。
【請求項８】
物品の収容開口を有する支持面部と、この支持面部の対向辺に連設され、それぞれ対向辺を介して前記支持面部の物品側に折り返すことができ、その状態で前記支持面部の収容開口と対面する押さえ開口を外側縁に設けた押さえ面部と、この押さえ面部を折り返した状態で前記対向辺とは別の対向辺を介して前記支持面部とは反対面側に折り返して脚部を形成することができる脚面部と、を有する板材からなる本体と、前記支持面部の収容開口および前記押さえ面部の押さえ開口に張り渡した弾性シートと、を有する包装装置を準備し、前記物品を前記支持面部の収容開口の弾性シート上に載置し、前記押さえ面部を折り返して両弾性シート間に物品を押さえ、さらに前記脚面部を折り返して形成した脚部を介して、前記物品を吊り上げ状態に保持して包装状態を形成するようにしたことを特徴とする緩衝包装方法。
【発明の詳細な説明】
【技術分野】
【０００１】
この発明は、電子機器のような、比較的重量があり衝撃をきらう物品の包装に適した緩衝包装装置に係り、特に支持面部の収容開口に張り渡した弾性シートに物品を載置し、押さえ面部を折り返した状態でこの押さえ面部の押さえ開口に張り渡した弾性シートによって前記物品を押さえ、さらにこの押え面部に連なる脚面部を反対側に折り返して、両弾性シート間に物品を保持するとともに前記脚部によって前記物品を吊り上げ状態に保持するようにした緩衝包装装置に関する。
【背景技術】
【０００２】
従来、パソコンなど比較的重量のある、衝撃をきらう物品を輸送するに際して、その物品を保護するために、緩衝支持して包装する緩衝包装装置がある。
【０００３】
一例として、下記特許文献に開示されたもののように、箱状の物品保持体の表面に開口部を設け、この開口部周辺の上縁部に伸縮性のあるプラスチックシートを固着したものを１対用意しておき、この保持体のシート面を互いに接するように配置してそのシート間に物品を収め、これら全体を外箱に収容することによって、物品を空中状態に保持して衝撃から保護するものがある。またこれによって物品を外箱から間隔をもって保持できるので、外箱に対する直接的外圧からも保護できる。
【０００４】
しかしながら、このものは、所定の緩衝支持は可能であるものの、プラスチックシートを固着した物品保持体を１対用意しなければならず、コストがかさみ、かつ保持装置の組み立てにも倍の労力を要するばかりでなく、ややかさばるという問題もあって、さらに、一層簡便な構成の緩衝包装装置が要望されるに至っている。
【先行技術文献】
【特許文献】
【０００５】
【特許文献１】特開２００７−２９０７４１号公報
【発明の概要】
【発明が解決しようとする課題】
【０００６】
この発明は、このような従来の緩衝包装装置が有するこれらの欠点を除去するとともに、より簡便な構成の緩衝包装装置を提供することができるようにしたもので、支持面部、押え面部、脚面部を連設して設けた本体を、単に折り返す簡単な操作によって、結果的に弾性シート間に物品を保持するとともに脚面部で構成した脚部によって物品を、宙吊り、すなわち吊り上げ状態に弾力的に保持できるようにした緩衝包装装置に関する。
【０００７】
すなわち、支持面部の収容開口に張り渡した弾性シートに物品を載置するとともに、支持面部に連続した押さえ面部を折り返した状態でこの押さえ面部の押さえ開口に張り渡した弾性シートによって前記物品を押さえ、さらにこの押え面部に連なる脚面部を反対面側に折り返して脚部を形成し、両弾性シート間に物品を保持するとともに脚面部で構成した脚部によって物品を吊り上げ状態に保持できるようにした緩衝包装装置に関する。
【０００８】
このような構成になる本体を単に折り返していくことによって、張り渡してある弾性シート間に、電子機器のような、比較的重量があり衝撃をきらう物品を弾性的に吊り上げ状態に保持して緩衝支持することができ、物品を比較的に、簡便に、弾力的に包装することができるものである。
【０００９】
さらには、この本体は折り返した脚面部を自己保持して起立形成する脚部によって、包装物品を安定して吊り上げ状態に保持して弾性支持を維持することができるものであり、さらにはこれをその脚部を介して複数段積み重ねて包装することも可能である。
【課題を解決するための手段】
【００１０】
したがって、この発明は、第１に、物品の収容開口を有する支持面部と、この支持面部の対向辺に連設され、前記支持面部の物品側に折り返すことができ、その状態で前記支持面部の収容開口と対面する押さえ開口を外側縁に設けた押さえ面部と、この押さえ面部を折り返した状態で前記対向辺とは別の対向辺を介して前記支持面部とは反対面側に折り返して脚部を形成することができる脚面部と、を有する板材からなる本体と、前記支持面部の収容開口および前記押さえ面部の押さえ開口に張り渡した弾性シートと、を有してなり、前記収容開口の弾性シートに載置した物品を、前記押さえ面部と脚面部とを折り返すことにより前記押さえ開口の弾性シートによって押さえて、両弾性シート間に物品を保持するとともに、前記脚部によって前記物品を、宙吊り、すなわち吊り上げ状態に保持するようにした緩衝包装装置である。
【００１１】
第２に、この発明は、前記第１の発明の弾性シートは、全面一体である緩衝包装装置である。
【００１２】
第３に、この発明は、前記いずれかの発明の前記弾性シートは、前記本体に重合して接合される緩衝包装装置である。
【００１３】
第４に、この発明は、前記いずれかの発明の前記緩衝包装装置を収容する外枠をさらに有する緩衝包装装置である。
【００１４】
第５に、前記いずれかの発明の前記脚面部を折り返して形成した脚部は、その起立状態を維持する自己保持部を有する緩衝包装装置。
【００１５】
第６に、前記第１の発明の前記緩衝包装装置をその脚面部を介して複数個積層して外枠内に収容した緩衝包装装置である。
【００１６】
第７に、前記押さえ面には係合開口を設けるとともに前記脚部の下端には積層時に前記係合開口と係合する係合突起を設けた緩衝包装装置である。
【００１７】
第８に、前記第１の発明の包装装置を準備し、前記物品を前記支持面部の収容開口の弾性シート上に載置し、前記押さえ面部を折り返して両弾性シート間に物品を押さえ、さらに前記脚面部を折り返して形成した脚部を介して、前記物品を吊り上げ状態に保持して包装状態を形成するようにした緩衝包装方法である。
【００１８】
これらの各発明は、このような構成になる本体を折り返していくことによって、弾性シートに載置された物品を両弾性シート間に、緩衝支持することができ、物品を比較的に、簡便に、容易に安定して弾性支持して弾力的に緩衝包装することができるものである。
【００１９】
そして、この本体は、折り返した脚面部による脚部によって、包装物品を安定して弾性支持、すなわち吊り上げ状態を保持することができるものである。
【発明の効果】
【００２０】
したがって、この発明は上述したようなそれぞれの簡単な構成によって、包装操作が比較的に容易であるとともに、安定して物品の緩衝包装、または緩衝包装支持ができる緩衝包装装置を提供することができる。
【図面の簡単な説明】
【００２１】
【図１】この発明の一実施例を示す本体の展開平面図であり、弾性シート部分を薄墨で示してある。
【図２】同じく、押さえ面部を支持面部に折り返した状態の平面図である。
【図３】同じく、図２の状態から脚面部を支持面部の反対側に折り返した状態の平面図である。
【図４】同じく、図３の状態を示す斜視図である。
【図５】同じく、弾性シート間に物品を収容して、その物品を吊り上げ状態に保持して緩衝包装した状態の断面図である。
【図６】この発明の他の実施例を示す図４と同様であるが、その一部を示す斜視図である。
【発明を実施するための形態】
【００２２】
以下に、この発明に係る物品の包装装置の第１の実施例について、まず、図１から図５を参照して説明する。
【００２３】
図１は、この緩衝包装装置の第１の実施例を示す装置の組立て包装前の展開図を示しており、本体１は、段ボール材のようなほぼ４角形の平板に、型抜きして構成される。すなわち、本体１の平板の中央部には、ほぼ４角形の支持面部２が形成され、さらにその中央部には後述するように物品Ｐの収容開口３が開口されている。
【００２４】
そして、この支持面部２には、その対向辺にそれぞれ折り返し線Ｅ、Ｅを介して支持面部２側に、図において谷折りして折り返すことができる押さえ面部４が連設されている。この押さえ面部４の外側縁には、押さえ面部４を支持面部２側に折り返したときに、それぞれ前記支持面部２の収容開口３に対向する、外側縁沿いの長さと奥行とを有する入江形状の押さえ開口５、５が形成されている。この押さえ開口５、５の実質的な大きさは、この平板１を組立てた状態の図４に明示されているように、これを折り返した状態で、前記支持面部２の収容開口３よりも小さく、押さえ開口５、５の開口縁が収容開口３の開口縁を覆う程度に選定される。
【００２５】
さらに、支持面部２の残りの対向辺には、それぞれ前記折り返し線Ｅ、Ｅと直交する方向の折り返し線Ｆ、Ｆを介して脚面部６、６が連設されていて、これを図において山折りして折り返すことによって、後述するような脚部７を形成することができるようになっている。
【００２６】
前記支持面部２および押さえ面部４には、それぞれ、その収容開口３および押さえ開口５、５を全面的に覆うように弾性シート１０が、全面一体に、本体一側面に対して熱溶着等によって重合して固定して張り渡される。
【００２７】
すなわち、この弾性シート１０は、伸縮可能であり、ポリウレタンシートのような透明な弾性シート１０であって、図１において薄墨で示してあるように、収容開口３および押さえ開口５、５を除いて、その全面を支持面部２および押さえ面部４の上面側に重合して固着されている。
【００２８】
したがって、収容開口３には、その全面を覆って、また、押さえ開口５、５にも、同様にその全面を覆って、それぞれ、弾性シート１０が張り渡された構成となっている。そして、この押さえ開口５、５に張り渡された弾性シート１０は、押さえ面部４、４が折り返された状態で、その外縁１０ａ、１０ａが相互に近接して並行する位置になるように構成されている。
【００２９】
このように構成された本体１に対して、物品Ｐの包装操作の初期段階は、以下のとおりである。
【００３０】
先ず、図１に示されるように本体１が平板状に展開された状態で、支持面部２の収容開口３の弾性シート１０上に物品Ｐを載置する。この状態で、図２〜図４に示されるように、押さえ面部４、４をそれぞれ折り返し線Ｅ、Ｅを介して谷折りして折り返すと、その押さえ開口５、５が、ほぼ前記支持面部２の収納開口３に対向する位置で、図２に開示されているように、押さえ開口５、５の弾性シート１０がその外縁１０ａ、１０ａを相互に近接して、物品Ｐを弾性的に押さえ込んで、図５の断面図に明示されるように、物品Ｐが弾性シート１０、１０間に挿入された状態となる。
【００３１】
ここに、包装される物品Ｐは、図５に図示されているように、収容開口３よりもやや小形の、ポータブルパソコンのような、比較的重量があって、衝撃をきらう電子機器等の物品である。
【００３２】
このように押さえ面部４、４を折り返した状態（図２）（包装される物品Ｐは図示を省略している）で、さらに脚面部６、６を、図３、４、および５に明示されるように、折り返し線Ｆ、Ｆを介して図において山折りし、前記支持面部２とは反対方向にほぼ９０度折り曲げて、脚部７、７を形成する。
【００３３】
この折り曲げ操作によって、押さえ面部４、４は、それぞれその脚部７、７側に引っ張られながら、その押さえ開口５の弾性シート１０によって物品Ｐを充分弾性的に押さえ込む結果となる。
【００３４】
この脚部７、７は、折り返した後は、その折りぐせを有する折り返し部分を自己保持部としてその折り返し線Ｆ、Ｆ位置を自己保持し、起立して本体１を支持する形態をとり、前述したように、物品Ｐを載置してある弾性シート１０は、図５に示されるように、弾性的に伸張して物品Ｐの上面を前記押さえ開口の弾性シート１０の押さえ込みによって前記物品Ｐを押圧することと相俟って、下方に沈降した状態で、弾性的に保持し、前記物品Ｐは、脚部７、７を介して、宙吊り、すなわち吊り上げ状態に安定的に緩衝支持されることとなる。
【００３５】
すなわち、物品Ｐは、両弾性シート１０、１０間に挟持固定され、物品Ｐの上下方向の動きを弾性的に抑制され、しかも側方からの外圧に対しても安定した緩衝包装をすることができる。
【００３６】
なお、折り曲げられた脚部７、７は、その状態を一層確実に自己保持するように、周知の紙板材の組立技術によって、例えば、図示していないが、その脚面部６の一部を切り起こして支持面部２の裏面と係合したり、脚面部６全体を折り返し線Ｆ、Ｆと平行にさらに内側に山折りして脚面部同士を重合して、相互に結合ないし接合することによって、その起立位置を確実に保持する自己保持部とすることができる。
【００３７】
このように物品を緩衝包装した包装装置は、さらに図５に示されるように、上面を開閉できる外箱のような外枠１１内に収容され、前述した脚部７、７はその起立状態を外枠内面によって側面から保持されて、安定して収容され、通常は、配送等でこの外枠１１とともに取扱われる。
【００３８】
以上、説明してきた実施例における弾性シート１０、１０は、透明であるから、包装作業において、それらのシート１０、１０を介して物品Ｐの状態を視認できるので、作業が容易であるばかりでなく、包装後も、包装装置２の外側から物品Ｐを視認できるので、扱い易い。
【００３９】
もちろん、これらのシート１０、１０は、必ずしも透明である必要はなく、物品Ｐを視認できる程度の透視性があれば充分である。
【００４０】
また、前述の実施例においては、押さえ面部４、４の押さえ開口５、５に張り渡された弾性シート１０は、押さえ面部４、４が折り返された状態で、その外縁１０ａ、１０ａが相互に近接して並行する位置になるように構成したが、前記外縁が相互に重合するような大きさに押さえ面部４、４を設計して、より一層強固に物品Ｐを押さえるようにすることもできる。この場合には、包装される物品Ｐが、ほぼ全体を弾性シート１０によって一体に包囲される結果となり、物品Ｐに対する防湿、防滴機能を実現することが可能である。
【００４１】
さらに、前記実施例においては、収容開口３と押さえ開口５、５とには同一の弾性シート１０が一体に張り渡されたものについて説明したが、押さえ開口５、５には、収容開口３の弾性シート１０と比較してより伸張しにくい弾性シート、場合によっては殆んど伸張しない透明シートを張り渡すようにしても、その押さえ機能としては充分である。
【００４２】
またさらに、その押さえ開口５、５の弾性シートは、最外部に位置して視認されることから、美観的に良好な色彩や、模様を施すこともできる。
【００４３】
また、前記収容開口３および押さえ開口５、５の形状についても、物品Ｐの形状や重量等によって、種々適切なものを採用することができる。
【００４４】
さらに、物品Ｐの重量が大きい場合でも充分にその収納状態を維持できるようにするためには、支持面部２の充分な剛性を確保する必要が生じるが、そのような場合のために、つぎのような構成を採用することもできる。
【００４５】
すなわち、図示は省略するが、第１の実施例の構成に加えて、図１に示される本体１の型どりを変更して、支持面部２の側方に補強用の起立壁を付加して設けることができる。詳述すれば、支持面部２の折り返し線Ｅ、Ｅの内側方にその起立壁の高さに対応する間隔をおいて、それぞれ折り返し線を追加して設けるものである。
【００４６】
このような構成において、前述の実施例と同様に包装作業に当っては、押さえ面部４、４を折り返すときに、先ず折り返し線Ｅ、Ｅを谷折りして、起立壁の形態を形成するとともに、前記追加の折り返し線をさらに谷折りに折り返して、押さえ面部４、４を支持面部２に対向することによって、補強用の起立壁を形成することができる。その後、脚面部６、６を、折り返し線Ｆ、Ｆを介して山折りし、さらに脚部７、７を起立して物品Ｐを弾性支持することができる。この場合、起立壁の存在のために、脚部７、７の折り返し線Ｆ、Ｆを介する山折りによる起立が必ずしも円滑ではないが、適宜起立壁を変形するか、必要によっては、支障となる一部を切除することによって起立を実現することが可能である。
【００４７】
この構成によれば、起立壁によって、支持面部２および押さえ面部４、４が充分に補強されて、一定の強度の平板によって、より大きな重量の物品Ｐを弾性保持することができ、幅広い緩衝包装をすることができる。
【００４８】
また、前述したように、脚面部６を折り返して形成される脚部７を介して、物品Ｐは安定して吊り上げ状態に弾性支持されるが、同様な物品を複数緩衝包装する場合には、このように構成された緩衝包装装置を複数段、その脚部７を介して積み重ねることが可能である。
【００４９】
すなわち、第２の実施例として図６に例示するように、前記本体１の前記押さえ面部４には、その折り返した外面側に位置して、折り返し線Ｅ、Ｅに近接して係合開口１２を設けるとともに、前記脚部７の下端には、包装装置の積み重ね時に前記係合開口と係合してその脚部７が、結果的にその折り曲げ位置を自己保持する係合突起１３を設ける。このように形成された装置に物品Ｐを収容して吊り上げ状態に緩衝包装した状態で、図示しないが、図５に示すような外箱である外枠であって、高さのある外枠内に底部から積み重ねて収納され、下側の包装装置の押さえ面部４の係合開口１２に上側の包装装置の脚部の係合突起１３を係合する構成によって、順次複数の包装装置を安定して収容することができ、効率のよい緩衝包装を実現できるものである。
【符号の説明】
【００５０】
１・・・本体、    ２・・・支持面部、    ３・・・収容開口、    ４・・・押さえ面部、    ５・・・押さえ開口、    ６・・・脚面部、    ７・・・脚部、    １０・・・弾性シート、    １０ａ・・・外縁、    １１・・・外枠、    １２・・・係合開口、    １３・・・係合突起、
【図１】
2011093552.tif 000003
【図２】
2011093552.tif 000004
【図３】
2011093552.tif 000005
【図４】
2011093552.tif 000006
【図５】
2011093552.tif 000007
【図６】
2011093552.tif 000008